(57)【要約】【課題】廃畳炭の粗粉砕物又は粉砕物は、摩擦などにより壊れ易く不織布に詰めて悪臭の除去などに使う場合、その微粉が袋から洩れて汚染を起こす。また鶏舎での悪臭除去に使用する場合にも、汚染や風に吹かれて飛び、汚染を拡大してしまう。さらに家庭用魚焼きグリルで使用する場合にも、魚から落ちる油滴が廃畳炭微粉を巻き上げて魚を汚染したり、また魚から出る油滴の吸着量が少ないためか油滴が燃焼に到るまでの時間が短く、実用にならなかった。さらに廃畳炭の交換時の作業の煩雑化や手などの汚れが大きいなどの課題がある。【解決手段】これらの課題を解決する為には、廃畳炭にある重さとある程度の固さを付与することが必要であり、廃畳炭にある量の砂を混合し、これに水で薄めたコロイダルシリカをある量噴霧し攪拌して固化し、粒径２０ミリメートル以下の不定形で不揃いの粒子物として、これを利用することで解決手段とした。さらにこの不定形で不揃いの粒子物を花の育成に利用することにより、茎、花が大きく育ちまた開花時期も大幅に長くなった。【特許請求の範囲】
【請求項１】
加熱炉中に独立した乾留ボックスを備えた炭化機の乾留ボックス内で廃畳を摂氏４００度から８００度で約８時間炭化した廃畳（藁・い草）炭を、５０ミリメートル以下に粗粉砕したもの７キログラムに砂４５キログラム〜５５キログラムを混合し、これに３０重量％のシリカを含むコロイダルシリカ水溶液１．１キログラム〜１．３キログラムを、５倍容量の水で薄めたものを吹きかけ、ゆっくりとかき混ぜて固化し最大粒径２０ミリメートル以下、最小粒径約１ミリメートル以上の不定形で不揃い粒子物を得ることを特徴とする悪臭の吸着材、油滴の吸着材および苗木生育強化材の製造方法。
【請求項２】
請求項１で得られた該不定形で不揃いの粒子物を花壇の底部に敷き詰め、その上に土を盛り苗木を植えて苗木の表面層周囲にさらに該不定形で不揃いの粒子物を撒き花を育てる方法、または苗木の深さ分に相当する土を削り取り、その容量の２０〜３０％に相当する該不定形で不揃いの粒子物をこの土に混合したものを削り取った部分に戻し、その中に球根や種を蒔いて花を育成する方法。
【請求項３】
請求項１で得られた該不定形で不揃いの粒子物を鶏舎に敷き詰め、その悪臭をより長期間消失する方法。
【請求項４】
請求項１で得られた該不定形で不揃いの粒子物を、台所用魚焼き用グリルのパンの中に敷き詰め水を使わず魚を焼き、魚より出る油滴を吸着し、油滴が着火するまでの時間を延長する方法。
【発明の詳細な説明】
【技術分野】
【０００１】  本発明は、本発明者らが先に出願した特願２００４−４３６２４号の、廃畳（畳床の藁、畳表のい草）・廃竹（竹、笹）から廃畳炭・廃竹炭を得る技術を発展させたもので、とくにある重量と硬さを持たせるため、砂とコロイダルシリカを用いてこれら炭粉を凝固させ、不定形で不揃いであるが粒状とした物を製造し、脱臭、調湿に利用する技術に関するものであり、さらには花壇での花の育成強化、鶏舎の悪臭の吸着、ガスレンジの魚焼き器機内での利用する技術に関するものである。
【背景技術】
【０００２】  本発明者らが先に出願した特願２００４−４３６２４号の、廃畳（畳床の藁、畳表のい草）・廃竹（竹、笹）から廃畳炭・廃竹炭の利用は、これらを５センチメートル以下の大きさに粗砕した物を悪臭物質、窒素酸化物、有機揮発性有害物質などの吸着に利用する技術であった。
しかしながら、これらを粒状物などにした物が知られていない。
【発明の開示】
【発明が解決しようとする課題】
【０００３】  廃畳炭は、容易に粉砕し易く、例えば不織布などに入れて毎日のように折りたたんだり、荷重がかかったりすると、微粉末となりそれが不織布の目を通して出て来て、服などを汚してしまうことになる。
また鶏舎などで使用する場合は、風によって飛び散るなどの弊害がでる。
これらの課題を解消するには、ある程度の硬さを持たせることが必要であり、またある程度の重量を持たせることも必要となる。
また５センチ以下の大きさに粗砕した廃畳炭をガスレンジ内にある魚焼き器の底部にある油だまりパンに入れて使用する場合、水をいれないと魚が水っぽくならず、ふっくら美味しく焼けるが、当然廃畳炭の微粒子も存在するため油滴の落下時にそれが飛び跳ね魚を汚染したり、また使用済み時の取り出しに汚れるなどの問題がある。
【課題を解決するための手段】
【０００４】  課題を解決するための手段として本発明者らは、先に出願した特願２００４−４３６２４号の、廃畳・廃竹などから廃畳炭・廃竹炭を得る技術での５センチ以下の大きさに粗砕したものを出発原料とする。【０００５】  これら廃藁炭の単独、またはこれに廃い草炭を配合したものに対し砂とからめる。これに通常のコロイダルシリカ水溶液を水で薄めたものを吹き付け混合し、常温で攪拌をゆっくり続けてゆくとコロイダルシリカのゲル化が始まり、最大約２０ミリメートルの不定形で不揃いの粒状物、およびそれ以下の不定形の粒状物となったところで止めて、不定形で不揃いの粒状物を得る。さらに攪拌を続けると最大で１０ミリメートル以下の不定形の粒状物を得ることも出来る。本発明は、これらの形と重量を備えたものを規定しこれらをそのまま容器に入れて部屋、トイレでの臭気の吸着材などに利用する。
【発明の効果】
【０００６】  まずこれを利用する花の育成の効果について述べる。花壇の表面の土約５センチの深さを削り取りそこに本発明の粒状物を厚さ２センチ程度敷き詰め、先に削り取った土をかぶせる。そのかぶせた土の中でパンジーの苗木を育成すると、通常の１．５倍相当の約３０センチメートルの背丈となり、またその花びらの大きさも通常の１．５倍相当の約１５セ５センチメートルとなり、花は２ケ月も咲き続けた。その理由は良く分からないが植物が保温や調湿などの効果により、また廃畳炭に含まれるミネラル分により活性化されたように考えられる。【０００７】  また鶏舎に厚さ２センチ程度本発明の粒状物を敷き詰めると、悪臭が２ケ月位なくなる。廃畳炭そのものでは約１週間であり、吸着力の差によるものと考えられる。
本発明者らが先に出願した特願２００４−４３６２４号の、廃畳（畳床の藁、畳表のい草）・廃竹（竹、笹）から廃畳炭・廃竹炭の利用は、これらを５センチ以下の大きさに粗砕した物を悪臭物質、窒素酸化物、有機揮発性有害物質などの吸着に利用したが、本発明の技術を利用する方がさらに良いと思われる。【０００８】  家庭用魚焼きグリルの中にあるパンに本発明の粒状物を敷き詰めたものを利用して弱火で魚を焼くと、パンに水を入れないことと本粒状物の遠赤外線を輻射する効果により、魚がふっくらとおいしく焼ける。さらに魚より出る油がある程度本粒状物に吸着されるので、油が燃焼に至る時間を稼げる。パンに水を入れるのは、油の燃焼を抑えるためである。また粒状物の取り出しも簡単であり、廃畳炭そのものを取り出すと手が黒く汚れるがその程度も著しく低減される。
【発明を実施するための最良の形態】
【０００９】  すなわち本発明者らが先に出願した特願２００４−４３６２４号の、廃畳・廃竹から廃畳炭・廃竹炭を得る技術に使用した株式会社シー・ワイ・シー社製ＣＹＴ型の加熱炉内に独立した乾留ボックスがあり、これに適当な大きさに切った廃畳を入れて、乾留ボックス内温度摂氏４００〜８００度で約８時間の炭化をする。これを粗粉砕して約５センチメートル以下の粗粉砕物としたものを出発原料とする。【００１０】  この粗粉砕物１００リットル（約７キログラム）と山砂５０リットル（約５０キログラム）を２秒で１回転程度の攪拌機付きブレンド槽で約１５分混合する。海砂、川砂も利用できるが採取の制約がある。これに３０重量％のコロイダルシリカを含む水溶液を１．２キログラムを水５リットルで薄めた液を吹きかける。２０重量％のシリカを含むコロイダルシリカ水溶液も使用できるがアルカリ度が少し高い方が好ましい。さらに常温で攪拌を続けるとコロイダルシリカのゲル化が始まり約１５分で最大約１５ミリメートル以下の黒色の不定形で不揃いの粒状物がえられる．この形状は球ではないが、丸みがあり１ミリメートル位のものは球に近く、１５ミリメートル位のものは球に近いとは言いがたく石ころの形と言える。【００１１】  次に、廃畳炭と砂との固化した本発明の不定形で不揃いの粒状物の花の育成への応用技術について述べる。まず苗木の場合は、根の深さに応じた深さの花壇の土を削り取り、底に本発明の不定形で不揃いの粒状物を２〜３センチメートルの厚さに敷く。その上に削り取った土を盛り苗木を埋め込み、苗木周辺の表層に本発明の不定形で不揃いの手粒状物でマルチングする。または削り取った土に、その容量の２０〜３０容量％相当の本発明の不定形で不揃いの粒状物を混合し、その混合土を削り取ったあとに載せて、球根や種子を蒔いて育成する。植木鉢で行う場合もこれと同様にすればよい。
【実施例１】
【００１２】  加熱炉内に独立した乾留ボックスがあり、これに約３０センチメートル角に切った廃畳を入れて、乾留ボックス内温度摂氏４００〜８００度で約８時間の炭化をした。この炭化物を冷却後、粗粉砕して最大で約５センチメートル以下の粗粉砕物としたものを出発原料とした。
この粗粉砕物１００リットル（約７キログラム）と山砂５０リットル（約５０キログラログラム）を２秒で１回転程度の攪拌機付きブレンド槽で、常温で約１５分混合する。これに３０重量％のシリカを含むコロイダルシリカ水溶液の１．２キログラムを水５リットルで薄めた液を吹きかける。さらに常温で攪拌を続けるとコロイダルシリカのゲル化が始まり約１５分で最大で約１５ミリメートル、最小で約１ミリメートルの本発明の不定形で不揃いの粒状物が得られた。この形状は球ではないが、丸みがあり１ミリメートル位のものは球に近く、１５ミリメートル位のものは球とは言い難く石ころの形に近かった。
【実施例２】
【００１３】  花壇の上層約５センチメートルの深さの土を削り取り、この底部に実施例１で得た本発明の不定形で不揃いの粒状物を厚さ約２センチメートルに敷き詰め、先に削り取った土をこの上に戻した。ここにパンジーの苗木を約５センチメートル間隔で植え、さらに各苗木の周辺上層部に不定形粒状物約２センチメートル厚でマルチングをしてバンジーを育成した。
花が咲き出す時期に地表の茎の長さを測定し、平均３０センチメートルであり、その花も約１５センチメートルあり、また開花期間は２ケ月に及んだ。
【比較例１】
【００１４】  実施例２で用いた同じ花壇で全く同様に、但し実施例１で得た本発明の不定形で不揃いの粒状物を用いないでパンジーを生育した。花が咲き出す次期に地表の茎の長さを測定し、平均２０センチメートルであり、その花は約１０センチメートルで開花期間は約１ケ月であった。
【実施例３】
【００１５】  土５リットルと実施例１で得た本発明の不定形で不揃いの粒状物１リットルを混合したものを植木鉢に、深さ約１０センチメートルに詰め、５個の植木鉢を作った。深さ約５センチメートルにチューリップの球根を植えて生育した。花が咲き出す時期に地表の茎の長さを測定し、平均約６０センチメートルであり、花びらも約２０センチメートル、開花期間は約５０日であった。
【比較例２】
【００１６】  実施例３と全く同様に、ただし本発明の不定形で不揃いの粒状物を使用しないで行なった。チューリップの花が咲き出す時期に地表の茎の長さを測定し、平均約４２センチメートルであり、花びらは約１３センチメートル、開花期間は約２１日であった。
【実施例４】
【００１７】  ２坪の鶏舎に実施例１で得た本発明の不定形で不揃いの粒状物１００リットルを撒き、鶏を１０羽飼った。撒いたその日から悪臭が無くなり約２ケ月間は悪臭がなかった。
【比較例３】
【００１８】  実施例４と全く同様に但し実施例１で得た本発明の不定形で不揃いの粒状物１００リットルの代りに最大５センチメートル以下の廃畳炭１００リットルを用いて行った。悪臭のため約１週間で廃畳炭を交換せざるを得なかった。
【実施例５】
【００１９】  家庭用ガスレンジ内にある魚焼き機の底部にある油だまりに実施例１で得た本発明の不定形で不揃いの粒状物約２００グラムを入れてパンに水を使わず使用した。水を使わないため通常より弱火で充分焼けるが、魚から出てくる油滴の量を吸着している限り油滴のレンジ内での燃焼は防げた。
１日１回の魚３匹焼きで、延べ使用日数１２日で油滴に着火し、本発明の不定形で不揃いの粒状物の交換が必要となったがその取り出しは容易であり、またパンの油による汚れも少なく綺麗なことを認めた。
【比較例４】
【００１９】  実施例５と同様に、ただし本発明の不定形で不揃いの粒状物の代わりに最大５センチメートル以下の廃畳炭２０グラムを用いて行った。油滴の吸着が不十分のためか３日目で油滴の燃焼が認められた。